(57)【特許請求の範囲】
【請求項１】
内部の粉体とともに全体重量を計量する計量器を有する計量ホッパを具備し、該計量ホッパの上部に、途中にフレキシブルパイプを有する粉体供給用の接続管路が接続された粉体供給用計量装置であって、
前記接続管路及び該接続管路の途中のフレキシブルパイプには、該接続管路及びフレキシブルパイプを一定の温度に保持するための調温手段が設けられ、
前記調温手段は、前記フレキシブルパイプを含む前記接続管路の周囲に巻回され、一定温度の蒸気凝縮水が供給されるスチーム管を備えていることを特徴とする粉体供給用計量装置。
【請求項２】
前記計量ホッパの下部には、途中にフレキシブルパイプを有した接続管路が接続され、前記計量ホッパと同圧となるように均圧用の配管にて接続された前記接続管路及び該接続管路の途中のフレキシブルパイプには、該接続管路及びフレキシブルパイプを一定の温度に保持するための調温手段が設けられていることを特徴とする請求項１に記載の粉体供給用計量装置。
【請求項３】
前記計量ホッパの上部に設置された粉体供給用の前記接続管路と、前記計量ホッパの下部に設置された計量ホッパと均圧された前記接続管路とにより、該計量ホッパを支持しかつ既定位置に保持することを特徴とする請求項２に記載の粉体供給用計量装置。
【請求項４】
前記調温手段は、前記スチーム管と、該スチーム管に一定温度の蒸気凝縮水が供給されるように調節する調温トラップと、を有するスチームトレース装置である、ことを特徴とする請求項１〜３のいずれか１項に記載の粉体供給用計量装置。
【請求項５】
前記計量ホッパの上方には、上段に位置して原料となる粉体を貯留する貯留ホッパと、該貯留ホッパの下方である中段に位置して該貯留ホッパから供給される粉体を一旦受入れて下段の計量ホッパへと渡すためのロックホッパとが直列に設置されていることを特徴とする請求項１〜４のいずれか１項に記載の粉体供給用計量装置。
【発明の詳細な説明】
【技術分野】
【０００１】
本発明は、微粉炭、セメントなどの紛体を連続的に供給する粉体供給設備の計量装置にて粉体の計量を正確に行う方法に関する。
【背景技術】
【０００２】
従来、この種の粉体供給用計量装置として、特許文献１及び２に示される公報が知られている。
これら特許文献１及び２に示される粉体供給用計量装置は、ロックホッパ方式の粉体連続供給設備に適用されている。すなわち、下段に位置して該ロックホッパ内の粉体を連続して定量的に供給する計量ホッパと、上段に位置して原料となる粉体を貯留する貯留ホッパと、中段に位置して上段の貯留ホッパ内の粉体を一旦受け入れ、下段の計量ホッパへと渡すためのロックホッパとが、接続管路を介して直列に連結された構成である。
【０００３】
前記計量ホッパには、粉体を連続定量供給するため供給装置とロードセルを用いた計量器が備えられている。
一方、前記計量ホッパは加圧下にて操作することから、上側に位置して前記ロックホッパから前記計量ホッパに対して粉体を供給するための固定された接続管路、及び前記計量ホッパの下側に位置して固定設置された管路と該計量ホッパの途中には、上下より同じ反力を与え該計量ホッパを浮いた状態で位置させるためのフレキシブルパイプが介在されている。尚、このフレキシブルパイプの反力は、該計量ホッパと同圧力とすることで得られる。
【先行技術文献】
【特許文献】
【０００４】
【特許文献１】特公平０１−５１９３２号公報
【特許文献２】特公平０４−４９０５２号公報
【発明の概要】
【発明が解決しようとする課題】
【０００５】
ところで、上記特許文献１及び２に示される粉体供給用計量装置では、粉体が例えば室温等の周囲の温度と異なる場合、該粉体が、ロックホッパから計量ホッパとの間にある接続管路や途中のフレキシブルパイプを通過する毎に、該粉体の熱によって接続管路やフレキシブルパイプが膨張又は収縮するという形状変形が生じる。その結果、計量ホッパが鉛直方向に押されたり引っ張られたりして、計量器の計測値が実際と異なるものとなるという問題があった。
【０００６】
この発明は、上述した事情に鑑みてなされたものであって、熱を有する粉体がフレキシブルパイプを通過しても、該フレキシブルパイプの膨張又は収縮が発生せず、計量ホッパでの粉体計量を正確に行うことができる粉体供給用計量装置を提供する。
【課題を解決するための手段】
【０００７】
上記課題を解決するために、この発明は以下の手段を提案している。
本発明の請求項１は、内部の粉体とともに全体重量を計量する計量器を有する計量ホッパを具備し、該計量ホッパの上部に、途中にフレキシブルパイプを有する粉体供給用の接続管路が接続された粉体供給用計量装置であって、前記接続管路及び該接続管路の途中のフレキシブルパイプには、該フレキシブルパイプを一定の温度に保持するための調温手段が設けられ、前記調温手段は、前記フレキシブルパイプを含む前記接続管路の周囲に巻回され、一定温度の蒸気凝縮水が供給されるスチーム管を備えていることを特徴とする。
【０００８】
本発明によれば、計量ホッパに粉体を供給する接続管路及び接続管路の途中の途中のフレキシブルパイプに、該接続管路及びフレキシブルパイプを一定の温度に保持するための調温手段が設けられているので、該調温手段による温度維持機能によって予め接続管路及びフレキシブルパイプの温度を粉体の温度と同程度に維持すれば、たとえ粉体がフレキシブルパイプを通過しても、計量ホッパと該接続管路及び該フレキシブルパイプの温度変化が発生しない（又はほとんど発生しない）。これにより該接続管路及びフレキシブルパイプの膨張又は収縮が発生せず、計量ホッパでの粉体計量を正確に行うことができる効果が得られる。
【０００９】
本発明の請求項２は、前記計量ホッパの下部には、途中にフレキシブルパイプを有した接続管路が接続され、前記計量ホッパと同圧となるように均圧用の配管にて接続された前記接続管路及び該接続管路の途中のフレキシブルパイプには、該接続管路及びフレキシブルパイプを一定の温度に保持するための調温手段が設けられていることを特徴とする。
【００１０】
本発明によれば、計量ホッパの下部に、途中にフレキシブルパイプを有する同計量ホッパと均圧された接続管路が接続され、接続管路及びこの接続管路の途中のフレキシブルパイプに、該接続管路及びフレキシブルパイプを一定の温度に保持するための調温手段が設けられていることから、該調温手段による温度維持機能により、均圧用の接続管路、該接続管路の途中のフレキシブルパイプの温度変化が発生しない（又はほとんど発生しない）。これにより計量ホッパの下側から影響を及ぼす外気により、該接続管路及びフレキシブルパイプの膨張又は収縮が発生せず、計量ホッパでの粉体計量を正確に行うことができる効果が得られる。
すなわち、計量ホッパの上部に設置された粉体供給用の接続管路と、前記計量ホッパの下部に設置された接続管路と、およびそれら各接続管路に介在されたフレキシブルパイプに調温手段を設けることで、これら接続管路とフレキシブルパイプの膨張又は収縮が発生せず、計量ホッパを既定位置に保持することができ、該計量ホッパの計量器による粉体計量を正確に行うことができる。また、計量ホッパにも温度維持機能を付加し、一定温度に保持すれば、ホッパ自身の伸縮も軽減できるので、計量精度はさらに向上できる。
【００１１】
本発明の請求項３は、前記計量ホッパの上部に設置された粉体供給用の接続管路と、前記計量ホッパの下部に設置された計量ホッパと均圧された接続管路とにより、該計量ホッパを支持しかつ既定位置に保持することを特徴とする。
【００１２】
本発明によれば、計量ホッパの上部に設置された粉体供給用の接続管路と、前記計量ホッパの下部に設置された計量ホッパと均圧された接続管路とにより、該計量ホッパを支持しかつ既定位置に保持されるとともに、前述した調温手段により、これら接続管路とそれら接続管路にそれぞれ介在されたフレキシブルパイプとの膨張又は収縮が発生しない構造であるので、該計量ホッパを常時、既定位置に保持することができ、計量器による粉体計量を正確に行うことができる。
【００１３】
本発明の請求項４は、前記調温手段は、前記スチーム管と、該スチーム管に一定温度の蒸気凝縮水が供給されるように調節する調温トラップと、を有するスチームトレース装置である、ことを特徴とする。
【００１４】
本発明によれば、前記調温手段を、フレキシブルパイプの周囲に巻回されたスチーム管と、該スチーム管に一定温度の蒸気凝縮水が供給されるように調節する調温トラップと、を有するスチームトレース装置により構成したので、このようなスチームトレース装置により、接続管路及び接続管路途中のフレキシブルパイプを一定温度に保ち、該接続管路及びフレキシブルパイプの膨張又は収縮発生を確実に防止することができる。
【００１５】
本発明の請求項５は、前記計量ホッパの上方には、上段に位置して原料となる粉体を貯留する貯留ホッパと、該貯留ホッパの下方である中段に位置して該貯留ホッパから供給される粉体を一旦受入れて下段の計量ホッパへと渡すためのロックホッパとが直列に設置されていることを特徴とする。
【００１６】
本発明によれば、計量ホッパの上方に、上段に位置して原料となる粉体を貯留する貯留ホッパと、該貯留ホッパの下方である中段に位置して該貯留ホッパから供給される粉体を一旦受入れ、下段の計量ホッパへと渡すためのロックホッパが、直列に設置されているので、これら貯留ホッパ及びロックホッパを経由して、計量ホッパに対して粉体を円滑に供給することができる。
【発明の効果】
【００１７】
本発明の請求項１に係る粉体供給用計量装置によれば、計量ホッパに粉体を供給する接続管路および接続管路の途中のフレキシブルパイプに、該接続管路及びフレキシブルパイプを一定の温度に保持するための調温手段が設けられているので、該調温手段による温度維持機能によって予め接続管路およびフレキシブルパイプの温度を粉体の温度と同程度に維持すれば、たとえ粉体がフレキシブルパイプを通過してもしなくても該接続管路及びフレキシブルパイプの温度変化が発生しない（又はほとんど発生しない）。これにより該接続管路及びフレキシブルパイプの膨張又は収縮が発生せず、計量ホッパでの粉体計量を正確に行うことができる効果が得られる。
【００１８】
本発明の請求項２に係る粉体供給用計量装置によれば、計量ホッパの下部に、途中にフレキシブルパイプを有する計量ホッパと均圧された接続管路が接続され、該接続管路および接続管路の途中のフレキシブルパイプに、該接続管路およびフレキシブルパイプを一定の温度に保持するための調温手段が設けられていることから、該調温手段による温度維持機能により、接続管路および接続管路の途中のフレキシブルパイプの温度変化が発生しない（又はほとんど発生しない）。これにより計量ホッパの下側から影響を及ぼす外気温により、該接続管路及びフレキシブルパイプの膨張又は収縮が発生せず、計量ホッパでの粉体計量を正確に行うことができる効果が得られる。
すなわち、計量ホッパの上部に設置された粉体供給用の接続管路と、前記計量ホッパの下部に設置された接続管路と、およびそれら接続管路に介在されたフレキシブルパイプにそれぞれ調温手段を設けることで、これら接続管路とフレキシブルパイプの膨張又は収縮が発生せず、計量ホッパを既定位置に保持することができ、該計量ホッパの計量器による粉体計量を正確に行うことができる。
【００１９】
本発明の請求項３に係る粉体供給用計量装置によれば、計量ホッパの上部に設置された粉体供給用の接続管路と、前記計量ホッパの下部に設置された計量ホッパと均圧された接続管路とにより、該計量ホッパを支持し、かつ既定位置に保持されるとともに、前述した調温手段により、これら接続管路およびそれら接続管路にそれぞれ介在された２つのフレキシブルパイプの膨張又は収縮が発生しない構造であるので、該計量ホッパを常時、既定位置に保持することができ、計量器による粉体計量を正確に行うことができる。
【００２０】
本発明の請求項４に係る粉体供給用計量装置によれば、前記調温手段を、フレキシブルパイプの周囲に巻回されたスチーム管と、該スチーム管に一定温度の蒸気凝縮水が供給されるように調節する調温トラップと、を有するスチームトレース装置により構成したので、このようなスチームトレース装置により、接続管路及び接続管路途中のフレキシブルパイプを一定温度に保ち、該フレキシブルパイプの膨張又は収縮発生を確実に防止することができる。
【００２１】
本発明の請求項５に係る粉体供給用計量装置によれば、計量ホッパの上方に、上段に位置して原料となる粉体を貯留する貯留ホッパと、該貯留ホッパの下方である中段に位置して該貯留ホッパから供給される粉体を一旦受入れ、下段の計量ホッパへと渡すためのロックホッパと、直列に設置されているので、これら貯留ホッパ及びロックホッパを経由して、計量ホッパに対して粉体を円滑に供給することができる。
【図面の簡単な説明】
【００２２】
【図１】本発明の実施形態に係る粉体供給用計量装置の全体構成を示す配管図である。
【図２】調温手段を具体的に示す斜視図である。
【発明を実施するための形態】
【００２３】
本発明の粉体供給用計量装置に係る実施形態について図１及び図２を参照して説明する。
図１に示される粉体供給用計量装置は、上段に位置して原料（例えば、微粉炭）となる粉体を貯留する貯留ホッパ１と、中段に位置して該貯留ホッパ１内の粉体を一旦受入れ、下段の計量ホッパ３へと渡すためのロックホッパ２と、下段に位置して粉体を定量供給しながら、該ロックホッパ２内の粉体を既定重量となるまで受け入れる計量ホッパ３とが、接続管路４・５を介して直列に連結された構成である。
【００２４】
前記ロックホッパ２は、温度が高い粉体を受け入れる際のロックホッパ２の収縮に関して、例えば建物の２階フロア（２ＦＬ）上に設置された支柱１０及び該支柱１０上の圧縮バネ１１により、上下方向に揺動可能に支持する構造としている。なお、このロックホッパ２に温度調整機能を付加して固定支持する構造にすることも十分可能である。
前記計量ホッパ３は、例えば建物の１階フロア（ＦＬ）上に設置されるものであって、その側部に固定された支持部材３Ａを、内部に貯留された粉体を計量するためのロードセルを用いた計量器１２が支持する構造とされている。そして、この計量器１２に計量ホッパ３の重量が加わることで、該計量器１２により計量ホッパ３内の粉体重量が測定される。
また、前記計量ホッパ３の下部には、該計量ホッパ３の粉体を粉体送出パイプ６に排出するための粉体供給装置３Ｂが設けられている。また、この粉体送出パイプ６は、図示しない石炭ガス化装置に接続され、当該装置に微粉炭が連続定量供給される。
【００２５】
前記貯留ホッパ１とロックホッパ２との間の接続管路４は、途中に管路４Ａにて貯留ホッパと連通し大気圧下のフレキシブルパイプ１３が介在され、かつ該フレキシブルパイプ１３の上下に開閉弁１４・１５が設けられた構成とされている。
また、前記ロックホッパ２と計量ホッパ３との間の接続管路５は、２ＦＬで固定されており、途中にフレキシブルパイプ１６が介在され、かつ該フレキシブルパイプ１６の上側に開閉弁１７・１８が設けられている。
【００２６】
前記建物の１階フロア（ＦＬ）と計量ホッパ３の下部との間には計量ホッパ３と均圧された接続管路２０が設けられている。この接続管路２０は、ＦＬに固定され、前記計量ホッパ３の下部に接続されるものであって、途中にフレキシブルパイプ２１が介在され、かつ分岐された接続管２０Ａを通じて前記計量ホッパ３の上部と同圧力に均圧されるように設置されている。
そして、このような接続管路５及びその途中に介在されたフレキシブルパイプ１６と、接続管路２０及びその途中に介在されたフレキシブルパイプ２１とによって、該計量ホッパ３を上下から同じフレキシブルパイプの圧力反力を受けることによって浮いた状態の既定位置で保持し、かつ計量ホッパ３の全体重量が計量器１２に掛かるようにしている。これにより、ロックホッパ２を加圧し、計量ホッパ３へ粉体を補給する際も常に計量ホッパ３の計量値を確認することが可能となる。
【００２７】
また、前記計量ホッパ３の上部と、前記ロックホッパ２の上部との間には、均圧管２２が設けられている。この均圧管２２は、その途中にフレキシブルパイプ２３と開閉弁２４とが設けられた構成とされ、フレキシブルパイプ２３によって計量ホッパ３での計量時に余計な力が加わることを防止し、開閉弁２４によってロックホッパ２から計量ホッパ３への粉体補給時に、これらホッパ２・３内の圧力を均一に保持する機能がある。
また、この均圧管２２は途中で分岐した圧抜管２５が設けられ、該圧抜管２５の途中に設けられた開閉弁２６の開閉によって大気に通じるようになっている。なお、開閉弁２６は、ロックホッパ２の脱圧速度を必要に応じて調節するために、開閉弁を並列に複数個設置することも可能であるし、開度調節機能を有する調節弁やオリフィス、手動調節弁を直列に設置してもよい。
【００２８】
また、前記ロックホッパ２と、計量ホッパ３には、加圧ガスが供給される加圧ガス供給管３０・３１と計量ホッパ３の粉体を送出するための搬送ガス供給管３２が接続されており、これら加圧ガス供給管および搬送ガス供給管３０・３１・３２の途中には、供給ガス量を調節する調節弁３３・３４・３５、管路を開閉するための開閉弁３６・３７・３８、及びホッパ２・３に対して余計な力が加わることを防止するフレキシブルパイプ３９・４０・４１が設けられた構成とされている。
【００２９】
次に、計量ホッパ３の上部に位置する接続管路５、該計量ホッパ３の下部に位置する接続管路２０、並びにこれら接続配管５，２０の途中のフレキシブルパイプ１６・２１を一定の温度に保持するための調温手段５０について説明する。なお、この調温手段５０の構成は、途中のフレキシブルパイプ１６・２１を含む接続管路５及び接続管路２０の双方について同一の構成が採用されている。
【００３０】
この調温手段５０は、図２に示すようにフレキシブルパイプ１６・２１を含む接続管路５及び接続管路２０の周囲に巻回されたスチーム管５１と、該スチーム管５１に一定温度の蒸気凝縮水（例えば、６０℃）が供給されるように調節する調温トラップ５２と、を有するスチームトレース装置であって、前記スチーム管５１は、蒸気を供給するメインパイプ５３を通じて蒸気供給源（図示略）に接続されている。
そして、以上のような構成により、フレキシブルパイプ１６・２１を含む接続管路５及び接続管路２０が、調温手段５０により一定温度に保持されるので、該調温手段５０により、接続管路５及び接続管路２０の途中のフレキシブルパイプ１６・２１の膨張又は収縮発生を防止できる。
さらに、同時に計量ホッパ３も上記記載と同様の方法により一定温度に保持することで、計量ホッパ３自身の伸縮も軽減できるので、計量精度はさらに向上できる。
【００３１】
そして、以上のように構成された粉体供給用計量装置では以下のようにして粉体が供給される。
【００３２】
〔計量ホッパ３から粉体送出パイプ６への粉体供給〕
加圧ガス供給管３１の開閉弁３７、調節弁３４を「開」として計量ホッパ３に図示しない石炭ガス化装置の運転圧力以上の圧力をかけた状態で、搬送ガス供給管３２の開閉弁３８、調節弁３５を「開」とすることで、粉体供給装置３Ｂから粉体送出パイプに粉体の気流搬送ガスを流し、粉体供給装置３Ｂを駆動させると、該計量ホッパ３内の粉体（微粉炭）が、搬送ガス供給管３２から供給された搬送ガスとともに、粉体送出パイプ６を通じて図示しない石炭ガス化装置に送り出される。
なお、このような計量ホッパ３から粉体送出パイプ６への粉体供給は、後述するが、ロックホッパ２から計量ホッパ３への粉体供給が行われている間も休止することなく行われる。
【００３３】
また、粉体供給装置３Ｂにより計量ホッパ３の下部から粉体が送り出された場合、該計量ホッパ３の粉体上の空間部との間に圧力差が生じることになるが、この圧力差は、加圧ガス供給管３１からの加圧ガスの供給および均圧管６Ａを通じての均圧により均等状態が維持される。
計量ホッパから粉体が図示しないガス化装置に供給されている間は、計量ホッパ３の計量器１２による計量値は供給された石炭の重量分減少を続け、その時間当たりの重量減少量から粉体供給量が求められる。そして、計量ホッパ３の重量が規定重量まで減少するとロックホッパ２から計量ホッパ３へ粉体を補給する。  
【００３４】
ロックホッパ２から計量ホッパ３への粉体補給においては、ロックホッパ２内の粉体が接続管路５を経由して計量ホッパ３に供給される際に、該接続管路５途中のフレキシブルパイプ１６は調温手段５０により一定温度に調温されているので、フレキシブルパイプ１６の膨張又は収縮が発生せず、該計量ホッパ３を正確に既定位置に保持することができ、計量器１２による粉体計量を正確に行うことができる。
また、このとき、計量ホッパ３と均圧された接続管路２０及び接続管路２０の途中のフレキシブルパイプ２１は調温手段５０により一定温度に調温されているので、該調温手段５０による温度維持機能によって予め接続管路２０及びフレキシブルパイプの温度を粉体の温度と同程度に維持すれば、たとえ外気温が変化しても、接続管路２０及びフレキシブルパイプ２１の膨張又は収縮が発生せず、該計量ホッパ３を正確に既定位置に保持することができ、前述した計量器１２による粉体計量を正確に行うことができるものである。
【００３５】
〔貯留ホッパ１からロックホッパ２への粉体供給〕
ロックホッパ２が空になり、該ロックホッパ２に貯留ホッパ１内の粉体を供給する場合には、開閉弁１４・１５・２６を「開」とし、重力によって貯蔵ホッパ１内の粉体を、接続管路４を通じてロックホッパ２に落下させる。
このとき、圧抜管２５の開閉弁２６が「開」になっているので、ロックホッパ２内に落下する粉体と置換して、該ロックホッパ２内の気体が、圧抜管２５を経由して大気に放出される。一方、他の開閉弁１７・１８・２４・３６は「閉」の状態とする。
その後、レベル計（図示略）などの計測により、ロックホッパ２内の粉体が上限に達したことが検出されたならば、開閉弁１４・１５・２６を「閉」として、貯留ホッパ１からロックホッパ２への粉体供給を完了する。
【００３６】
〔ロックホッパ２から計量ホッパ３への粉体供給〕
圧抜管２５の開閉弁２６を「閉」とし、かつ加圧ガス供給管３０の開閉弁３６、調節弁３３を共に「開」とすることで、ロックホッパ２に圧力を掛けた後、圧力センサ（図示略）によりその圧力が既定値（計量ホッパ３と同等の圧力）に達したことを検知された場合に、該開閉弁３２を「閉」とする。
この状態で、均圧管２２の開閉弁２４および接続管路５の開閉弁１７・１８を「開」とすることで、重力によって、ロックホッパ２内の粉体を、接続管路５を経由して下側の計量ホッパ３に落下させる。このとき、計量ホッパ３に粉体が供給されると、該粉体と置換して該計量ホッパ３内の空気が、均圧管２２を経由して上側のロックホッパ２に導かれ、これによってロックホッパ２と計量ホッパ３内の圧力は均等状態が維持される。
【００３７】
このとき、計量ホッパ３の計量器１２では、粉体送出パイプ６より粉体が定量供給された状態ではあるが、ロックホッパ２から該計量ホッパ３内に補給された粉体の重量が計測される（ロックホッパ２から粉体供給前と粉体供給後の計測値の差分により計測される）。
そして、計量ホッパ３への粉体供給及び粉体の計量測定が終了したならば、先の開閉弁１７・１８・２４を「閉」とする。そして、圧抜管２５の開閉弁２６を「開」とすることでロックホッパの圧力を大気圧まで減圧し、先述した貯留ホッパ１からロックホッパ２への粉体補給を実施する。
【００３８】
また、前述した接続管路５及び接続管路２０の途中のフレキシブルパイプ１６・２１以外にも、ロックホッパ２及び計量ホッパ３に通じる均圧管２２、加圧ガス供給管３１・搬送ガス供給管３２の各途中に、フレキシブルパイプ２３・４０・４１が設けられているので、フレキシブルパイプ１６・２１・２３・４０・４１による力のバランスによって、ロックホッパ２及び計量ホッパ３を既定位置に保持することができる。
【００３９】
以上詳細に説明したように本実施形態に示される粉体供給用計量装置によれば、計量ホッパ３に粉体を供給する接続管路５及び接続管路５の途中のフレキシブルパイプ１６に、該接続管路５及びフレキシブルパイプ１６を一定の温度に保持するための調温手段５０が設けられているので、該調温手段５０による温度維持機能により、該調温手段による温度維持機能によって予め接続管路５及びフレキシブルパイプの温度を粉体の温度と同程度に維持すれば、たとえ粉体がフレキシブルパイプを通過しても、該接続管路５及びフレキシブルパイプ１６の温度変化が発生しない（又はほとんど発生しない）。これにより該接続管路５およびフレキシブルパイプ１６の膨張又は収縮が発生せず、計量ホッパ３での粉体計量を正確に行うことができる効果が得られる。
【００４０】
また、上記粉体供給用計量装置によれば、計量ホッパ３の下部に、途中にフレキシブルパイプ２１を有する計量ホッパ３と均圧された接続管路２０が接続され、該接続管路２０及び接続管路２０の途中のフレキシブルパイプ２１にも、該接続管路２０及びフレキシブルパイプ２１を一定の温度に保持するための調温手段５０が設けられていることから、該調温手段５０による温度維持機能により、該接続管路２０及びフレキシブルパイプ２１の温度変化が発生しない（又はほとんど発生しない）。これにより計量ホッパ３の下側から影響を及ぼす外気温の変化により、該接続管路２０及びフレキシブルパイプ２１の膨張又は収縮が発生せず、計量ホッパ３での粉体計量を正確に行うことができる。
すなわち、計量ホッパ３の上部に設置された粉体供給用の接続管路５と、該計量ホッパ３の下部に設置された接続管路２０、並びにこれら接続管路に介在されたフレキシブルパイプ１６・２１の双方に調温手段５０を設けることで、これら接続管路５，２０及びフレキシブルパイプ１６・２１の膨張又は収縮が発生せず、計量ホッパ３を既定位置に保持することができ、該計量ホッパ３の計量器１２による粉体計量を正確に行うことができる。
【００４１】
また、上記粉体供給用計量装置によれば、計量ホッパ３の上部に設置された粉体供給用の接続管路５と、前記計量ホッパ３の下部に設置された計量ホッパ３と均圧された接続管路２０とにより、該計量ホッパ３を支持しかつ既定位置に保持されるとともに、前述した調温手段５０により、これら接続管路５、２０並びにこれら接続管路にそれぞれ介在されたフレキシブルパイプ１６・２１の膨張又は収縮が発生しない構造であるので、該計量ホッパ３を常時、既定位置に保持することができ、計量器による粉体計量を正確に行うことができる。
【００４２】
また、上記粉体供給用計量装置によれば、前記調温手段５０を、フレキシブルパイプの周囲に巻回されたスチーム管５１と、該スチーム管５１に一定温度の蒸気凝縮水が供給されるように調節する調温トラップ５２と、を有するスチームトレース装置により構成したので、このようなスチームトレース装置により、接続管路５及び接続管路２０途中のフレキシブルパイプ１６・２１の膨張又は収縮発生を確実に防止することができる。
【００４３】
また、上記粉体供給用計量装置によれば、計量ホッパ３の上方に、上段に位置して原料となる粉体を貯留する貯留ホッパ１と、該貯留ホッパ１の下方である中段に位置して該貯留ホッパ１から供給される粉体を一旦受入れ、下段の計量ホッパ３へと渡すためのロックホッパ２と、直列に設置されているので、これら貯留ホッパ１及びロックホッパ２を経由して、計量ホッパに対して粉体を円滑に供給することができる。
【００４４】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４５】
本発明は、微粉炭、セメントなどの紛体を連続に計量する粉体供給用計量装置に関し、粉体の計量を正確に行うことができる技術に関する。
【符号の説明】
【００４６】
１  貯留ホッパ
２  ロックホッパ
３  計量ホッパ
５  接続管路
１２  計量器
１６  フレキシブルパイプ
２０  均圧用の接続管路
２１  フレキシブルパイプ
５０  調温手段
５１  スチーム管
５２  調温トラップ
５３  蒸気供給メインパイプ
【図１】
0005608606.tif 000002
【図２】
0005608606.tif 000003